(57)【要約】【課題】ランプの熱を原因とした偏光板の伸びによる表示ムラを防止することができる液晶表示装置を提供する。【解決手段】アレイ基板３０上の画素４６が開口率が小さい画素４６と大きな画素４６から構成され、開口率が小さい画素４６から構成される領域は、アレイ基板３０の１の角部近傍から隣接する角部近傍に向かって円弧状に延びる線を境界として、１の角部から前記隣接する角部に向かう辺側に形成されているものである。【選択図】      図２
2007298766.tif 000002
【特許請求の範囲】
【請求項１】
アレイ基板及び対向基板によって液晶を挟持した液晶セルと、
前記液晶セルに貼り付けられた偏向板と、
前記液晶セルの裏面側に配されたランプを含むバックライトと、
を有した液晶表示装置において、
前記アレイ基板はマトリックス状に画素が構成され、
前記画素は開口率が小さい画素及び大きな画素から構成され、
前記開口率が小さい画素から構成される領域は、前記アレイ基板の一の角部近傍から隣接する角部近傍に向かって円弧状に伸びる仮想線を境界として、前記一の角部から前記隣接する角部に向かう辺側に形成されている
ことを特徴とする液晶表示装置。
【請求項２】
前記開口率が小さい画素は、前記開口率が大きい画素よりも補助容量線の幅が大きい  ことを特徴とする請求項１記載の液晶表示装置。
【請求項３】
前記アレイ基板は長方形状であり、前記開口率が小さい画素から構成される領域が、前記アレイ基板の長辺側に形成されている
ことを特徴とする請求項１記載の液晶表示装置。
【請求項４】
前記アレイ基板は長方形状であり、前記開口率が小さい画素から構成される領域が、前記アレイ基板の短辺側に形成されている
ことを特徴とする請求項１記載の液晶表示装置。
【発明の詳細な説明】
【技術分野】
【０００１】
本発明は、偏光板の貼られた液晶セルを有する液晶表示装置に関するものである。
【背景技術】
【０００２】
液晶表示装置は、液晶セルを照明するために、液晶セルの裏面側にバックライトが配されている。このバックライトは、導光板と、導光板の側部に配されたランプと、導光板の裏面側に配された反射板を有している（例えば、特許文献１と特許文献２参照）。
【特許文献１】特開２００３−１３１０４０号公報
【特許文献２】特開２０００−２２１３２９号公報
【発明の開示】
【発明が解決しようとする課題】
【０００３】
上記のような液晶表示装置を、連続通電したり、高温で動作させたりした場合において、図５に示すような表示ムラが画面上下に発生する。すなわち、図５に示すように、液晶セル１００の左下の角部１０２から隣接する右下の角部１０４に向かって境界がはっきりしない円弧１０６と下辺とで囲まれた部分１０８に表示ムラ（白ムラ）が発生する。また、上部の円弧１１０と上辺とで囲まれた部分１１２にも同様の表示ムラが生じる。この表示ムラは主に、液晶セル１００の両面に貼られている偏光板が熱により伸び、裏と表の偏光板の吸収軸がずれることによる光抜けにより発生し、黒画面で顕著に見える。つまり、光抜けする部分が白くムラになって見える。
【０００４】
この光抜けは、最近の横長画面サイズ（１６：９）の液晶セルの長辺側において顕著に見られる。この表示ムラは、バックライトの点灯開始時にはそれほどでもないが、連続点灯時にランプの熱によって発生する。特に、サイドライト型のバックライトにおいては、ランプを液晶表示領域周辺に配置するため、液晶セルの周辺部においてランプからの発熱の影響を受け、液晶セルの中央部と周辺部で温度差が発生し、偏光板の伸びに違いが生じて、図５に示すような表示ムラが発生する。
【０００５】
このような表示ムラの対策として、従来より次のような４つの対策が施されていた。
【０００６】
第１の対策は、偏光板を耐熱性にすることである。第２の対策はランプの電流低減によるバックライト自体での熱の上昇を防止することである。第３の対策はバックライトと液晶セルの間に断熱性シートを挿入し、バックライトから液晶セルに与える熱を阻止するものである。第４の対策は熱伝導シートをバックライト内部に配置し、バックライトの発光面の温度分布の均一化を行うものである。
【０００７】
しかしながら、第１の対策については、偏光板の材料自身が樹脂であり、耐熱性の向上が困難である。第２の対策についてはランプの電流低減による熱上昇の低減の効果は微小で、かつ、輝度低下に繋がるという問題がある。第３の対策については、断熱シートを挿入しても、液晶表示装置の薄型の筐体の中に挿入する薄い断熱シートではその効果が少ない。第４の対策については、ランプ自体の温度上昇が妨げられ、ランプの始動特性（輝度立ち上がり特性）が悪化するという問題がある。
【０００８】
そこで、本発明は上記問題点に鑑み、ランプの熱を原因とした偏光板の伸びによる表示ムラを防止することができる液晶表示装置を提供することを目的とする。
【課題を解決するための手段】
【０００９】
本発明は、アレイ基板及び対向基板によって液晶を挟持した液晶セルと、前記液晶セルに貼り付けられた偏向板と、前記液晶セルの裏面側に配されたランプを含むバックライトと、を有した液晶表示装置において、前記アレイ基板はマトリックス状に画素が構成され、前記画素は開口率が小さい画素及び大きな画素から構成され、前記開口率が小さい画素から構成される領域は、前記アレイ基板の一の角部近傍から隣接する角部近傍に向かって円弧状に伸びる仮想線を境界として、前記一の角部から前記隣接する角部に向かう辺側に形成されていることを特徴とする液晶表示装置である。
【発明の効果】
【００１０】
本発明によれば、表示ムラが発生する部分に対応して輝度が異ならせているため、表示ムラが発生しない。
【発明を実施するための最良の形態】
【００１１】
以下、本発明の一実施形態の液晶表示装置１０について図１〜図４に基づいて説明する。
【００１２】
図１に基づいて、液晶表示装置１０の構造について説明する。
【００１３】
液晶表示装置１０は、液晶セル１２とバックライト１４とから構成されている。なお、液晶セル１２とバックライト１４とは、不図示のベゼルカバーによって一体に収納されている。
【００１４】
液晶セル１２は、横長画面サイズのものであり、表面と裏面にそれぞれ偏光板１６が貼り付けられている。なお、本明細書において、「液晶セル１２の表面」とは表示面側の面を意味し、「裏面側」とはその反対側の面を意味するものとする。
【００１５】
バックライト１４は、導光板１８と、導光板１８の側部に配されたランプ２０と、導光板１８の裏面側に配された反射板２２と導光板１８の表面側に配された拡散板２４と、この拡散板２４の表面側に配されたプリズムシート２６とからなる。また、ランプ２０は、直管状の冷陰極管であり、図２に示すようにＬ字型であり、液晶セル１２の長辺側と短辺側に沿って配されている。このランプ２０はリフレクター２８によって覆われている。
【００１６】
液晶セル１２の構造について図１〜図４に基づいて説明する。
【００１７】
液晶セル１２は、図１に示すようにアレイ基板３０と対向基板３２とを相対向して配し、液晶３４を挟持している。また、アレイ基板３０と対向基板３２の外周部には、液晶３４を封止するためにシール材３６が設けられている。
【００１８】
アレイ基板３０は、画面の縦方向に沿って信号線４０が複数本配線され、この信号線４０と直交する方向、即ち画面の横方向にゲート線４２が複数本配線されている。この信号線４０とゲート線４２の交差部近傍には、薄膜トランジスタ（以下、ＴＦＴという）が形成され、このＴＦＴには補助容量線４４が接続されている。補助容量線４４は、ゲート線４２と平行に配線され、図３に示すように、各画素４６毎に信号線４０と平行に延びる部分を形成して、ほぼπ状に形成されている。そして、このπ字状に形成された補助容量線４４によって画素４６の透明電極４７が囲まれ、その画素４６の開口率を決定することができる。即ち、補助容量線４４の幅が大きくなればその画素４６の開口率が小さくなる。本実施形態では、補助容量線４４の幅が小さい画素４６、即ち開口率が大きい画素４６と、補助容量線４４の幅が大きい画素４６、即ち開口率が小さい画素４６の２種類が存在する。図３のＡ−Ａ線断面図に示すように、補助容量線４４は、アレイ基板３０を構成するガラス基板４８上に形成され、この補助容量線４４の上部にゲート絶縁膜５０が形成され、ゲート絶縁膜５０の上に信号線４０が形成されている。この信号線４０の上にはパッシベーション膜５２が形成されている。また、パッシベーション膜５２の上層であって、かつ、各画素４６の上層にはＩＴＯ膜５３が形成されている。
【００１９】
次に、開口率の大きい画素４６と開口率の小さい画素４６の構成について説明する。
【００２０】
開口率が小さい画素４６から構成される領域（以下、単に開口率小領域という）５４は、図２に示すように、アレイ基板３０の左下の角部５６から、隣接する右下の角部５８に向かって円弧状に延びる仮想線５７を境界として、左下の角部５６から右下の角部５８に延びる長辺側に形成されている。また、左上の角部６０と右上の角部６２の間の長辺側においても同様に仮想線６１を境界にして開口率小領域５４が形成されている。そして、この二つの開口率小領域５４，５４との間に開口率が大きい画素によって構成された領域（以下、単に開口率大領域６４という）が形成されている。
【００２１】
上記のようなアレイ基板３０を用いた液晶表示装置１０においては、開口率小領域５４，５４の部分の輝度が低くなり、開口率大領域６４の輝度が大きくなる。したがって、バックライト１４のランプ２０が発熱して、偏光板１６が延び、表裏の偏光板１６，１６の吸収軸がずれて光抜けが起きても、この光抜けの部分だけ開口率小領域５４，５４による輝度の低下があるため、図５に示すような表示ムラを低減することができる。
【００２２】
このアレイ基板３０の設計としては、予め液晶セル１２の輝度分布を測定し、液晶セル１２の表示領域における各エリアでの輝度分布の連続データに基づいて開口率小領域５４と開口率大領域６４の形状及び配置を決定する。なお、この表示ムラは黒画面で顕著に見えるため、黒画面時の表示ムラデータに直接合わせると、白画面での表示ムラに逆に繋がる可能性があるため、黒画面の表示ムラと白画面の表示ムラの中間レベルを狙って開口率小領域５４と開口率大領域６４の配置を決定する。
【００２３】
本発明は上記各実施形態に限らず、その主旨を逸脱しない限り種々に変更することができる。
【００２４】
上記実施形態では、アレイ基板３０の長辺側にのみ開口率小領域５４，５４を設けたが、偏光板１６は実際には短辺側においても表示ムラが発生している。これは、熱によって偏光板１６の短辺側においても収縮が起こるためである。そのため、この短辺側においても円弧状の開口率小領域５４，５４を形成してもよい。
【００２５】
上記実施形態では、Ｌ字型のランプ２０を用いたが、これに限らず一辺のみ照明するランプを用いてもよいし、相対向するランプ２０を２本配置した構造であってもよい。
【００２６】
上記実施形態では、開口率小領域５４と開口率大領域６４の二種類を用いて説明したが、表示ムラの境界線は不明確であるため、複数の開口率の画素４６を用いて、開口率が次第に大きくなるようにパターンを配置してもよい。
【００２７】
上記実施形態では、補助容量線４４は、各画素４６においてπ字状に設けたが、これに限らずＨ字状に設けたものであってもよい。
【００２８】
上記実施形態では補助容量線４４の幅によって開口率を調整したが、これに限らず他の方法によっても開口率を調整してもよい。例えば、信号線４０やゲート線４２の幅を代えて開口率を調整してもよい。
【図面の簡単な説明】
【００２９】
【図１】本発明に係る液晶表示装置の一実施形態を示す縦断面図である。
【図２】本実施形態のアレイ基板の平面図と、ランプとの関係を示す図である。
【図３】図２における開口率小領域と開口率大領域の境界部分の画素の拡大図である。
【図４】図３におけるＡ−Ａ線断面図である。
【図５】背景技術における表示ムラの状態を示した液晶セルの平面図である。
【符号の説明】
【００３０】
１０  液晶表示装置
１２  液晶セル
１４  バックライト
１６  偏光板
２０  ランプ
３０  アレイ基板
４０  信号線
４２  ゲート線
４４  補助容量線
４６  画素
５４  開口率小領域
６４  開口率大領域
【図１】
2007298766.tif 000003
【図２】
2007298766.tif 000004
【図３】
2007298766.tif 000005
【図４】
2007298766.tif 000006
【図５】
2007298766.tif 000007